(57)【特許請求の範囲】
【請求項１】
無線通信のための方法であって、
アップリンク・サブフレームにおいて送信されるべきシンボルのセットが、１または複数の孤立シンボルを備えているかを判定することと、
前記判定に基づいて、複数の送信ダイバーシティ・スキームから、送信ダイバーシティ・スキームを選択することと、
前記選択された送信ダイバーシティ・スキームを用いて、前記シンボルのセットを処理することと、ここで、前記処理することは、前記シンボルのセットが前記１または複数の孤立シンボルを備えている場合に、前記１または複数の孤立シンボルを落とすことと、前記選択された送信ダイバーシティ・スキームを前記シンボルのセットのうちの残りのシンボルに適用することとを含む、
前記処理されたシンボルを、複数の送信アンテナを介して、前記アップリンク・サブフレームで送信することと、
を備える方法。
【請求項２】
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、請求項１に記載の方法。
【請求項３】
前記選択することは、符号化が単一のシンボル内で実行される送信ダイバーシティ・スキームを選択することを備える、請求項１に記載の方法。
【請求項４】
前記選択することは、前記シンボルのセットが、前記１または複数の孤立シンボルを備えているのであれば、空間時間送信ダイバーシティ・スキームを選択することを備える、請求項１に記載の方法。
【請求項５】
前記送信することは、前記処理されたシンボルを、少なくとも４つの送信アンテナを介して送信することを備える、請求項１に記載の方法。
【請求項６】
無線通信のための方法であって、
ユーザ機器（ＵＥ）から、アップリンク・サブフレームで、シンボルのセットを受信することと、
前記シンボルのセットを処理するために、前記ＵＥによって選択された送信ダイバーシティ・スキームを判定することと、ここで、前記送信ダイバーシティ・スキームは、シンボルの初期セットが、１または複数の孤立シンボルを備えているか否かに基づいて、前記ＵＥによって選択され、前記シンボルのセットは、前記シンボルの初期セットが前記１または複数の孤立シンボルを備えている場合に、前記１または複数の孤立シンボルを落とした後の、前記シンボルの初期セットから残っているシンボルである、
前記選択された送信ダイバーシティ・スキームに対応する受信ダイバーシティ・スキームを用いて、前記シンボルのセットを処理することと、
を備える方法。
【請求項７】
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、請求項６に記載の方法。
【請求項８】
前記判定することは、前記シンボルの初期セットが、前記ＵＥによって前記シンボルのセットを処理する前に、前記１または複数の孤立シンボルを備えていた場合、符号化が単一のシンボル内で実行される送信ダイバーシティ・スキームが、前記ＵＥによって選択されたと判定することを備える、請求項６に記載の方法。
【請求項９】
前記シンボルのセットを受信することは、前記シンボルのセットを、少なくとも４つのアンテナを介して前記ＵＥから受信することを備える、請求項６に記載の方法。
【請求項１０】
無線通信のための装置であって、
アップリンク・サブフレームにおいて送信されるべきシンボルのセットが、１または複数の孤立シンボルを備えているかを判定する手段と、
前記判定に基づいて、複数の送信ダイバーシティ・スキームから、送信ダイバーシティ・スキームを選択する手段と、
前記選択された送信ダイバーシティ・スキームを用いて、前記シンボルのセットを処理する手段と、ここで、前記処理する手段は、前記シンボルのセットが前記１または複数の孤立シンボルを備えている場合、前記１または複数の孤立シンボルを落とすことと、前記選択された送信ダイバーシティ・スキームを前記シンボルのセットのうちの残りのシンボルに適用することとを含む、
前記処理されたシンボルを、複数の送信アンテナを介して、前記アップリンク・サブフレームで送信する手段と、
を備える装置。
【請求項１１】
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、請求項１０に記載の装置。
【請求項１２】
前記選択する手段は、符号化が単一のシンボル内で実行される送信ダイバーシティ・スキームを選択する手段を備える、請求項１０に記載の装置。
【請求項１３】
前記選択する手段は、前記シンボルのセットが、前記１または複数の孤立シンボルを備えているのであれば、空間時間送信ダイバーシティ・スキームを選択する手段を備え、
前記選択された送信ダイバーシティ・スキームを用いて前記シンボルのセットを処理する手段は、前記１または複数の孤立シンボルを落とす手段と、前記空間時間ダイバーシティ・スキームを残りのシンボルに適用する手段とを備える、請求項１０に記載の装置。
【請求項１４】
前記送信する手段は、前記処理されたシンボルを、少なくとも４つの送信アンテナを介して送信する手段を備える、請求項１０に記載の装置。
【請求項１５】
無線通信のための装置であって、
ユーザ機器（ＵＥ）から、アップリンク・サブフレームで、シンボルのセットを受信する手段と、
前記シンボルのセットを処理するために、前記ＵＥによって選択された送信ダイバーシティ・スキームを判定する手段と、ここで、前記送信ダイバーシティ・スキームは、シンボルの初期セットが、１または複数の孤立シンボルを備えているか否かに基づいて、前記ＵＥによって選択され、前記シンボルのセットは、前記シンボルの初期セットが前記１または複数の孤立シンボルを備えている場合、前記１または複数の孤立シンボルを落とした後の、前記シンボルの初期セットから残っているシンボルである、
前記選択された送信ダイバーシティ・スキームに対応する受信ダイバーシティ・スキームを用いて、前記シンボルのセットを処理する手段と、
を備える装置。
【請求項１６】
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、請求項１５に記載の装置。
【請求項１７】
前記判定する手段は、前記シンボルの初期セットが、前記ＵＥによって前記シンボルのセットを処理する前に、前記１または複数の孤立シンボルを備えていた場合、符号化が単一のシンボル内で実行される送信ダイバーシティ・スキームが前記ＵＥによって選択されたと判定する手段を備える、請求項１５に記載の装置。
【請求項１８】
前記受信する手段は、前記シンボルのセットを、少なくとも４つの送信アンテナを介して前記ＵＥから受信する手段を備える、請求項１５に記載の装置。
【請求項１９】
１または複数のプロセッサによって実行可能な、記録された命令群を有するコンピュータ読取可能な記録媒体であって、前記命令群は、
アップリンク・サブフレームにおいて送信されるべきシンボルのセットが、１または複数の孤立シンボルを備えているかを判定するための命令群と、
前記判定に基づいて、複数の送信ダイバーシティ・スキームから、送信ダイバーシティ・スキームを選択するための命令群と、
前記選択された送信ダイバーシティ・スキームを用いて、前記シンボルのセットを処理するための命令群と、ここで、前記処理することは、前記シンボルのセットが前記１または複数の孤立シンボルを備えている場合、前記１または複数の孤立シンボルを落とすことと、前記選択された送信ダイバーシティ・スキームを前記シンボルのセットのうちの残りのシンボルに適用することとを含む、
前記処理されたシンボルを、複数の送信アンテナを介して、前記アップリンク・サブフレームで送信するための命令群と、
を備えるコンピュータ読取可能な記録媒体。
【請求項２０】
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、請求項１９に記載のコンピュータ読取可能な記録媒体。
【請求項２１】
前記選択するための命令群は、符号化が単一のシンボル内で実行される送信ダイバーシティ・スキームを選択することを備える、請求項１９に記載のコンピュータ読取可能な記録媒体。
【請求項２２】
前記選択するための命令群は、前記シンボルのセットが、前記１または複数の孤立シンボルを備えているのであれば、空間時間送信ダイバーシティ・スキームを選択するための命令群を備える、請求項１９に記載のコンピュータ読取可能な記録媒体。
【請求項２３】
前記送信するための命令群は、前記処理されたシンボルを、少なくとも４つの送信アンテナを介して送信するための命令群を備える、請求項１９に記載のコンピュータ読取可能な記録媒体。
【請求項２４】
１または複数のプロセッサによって実行可能な、記録された命令群を有するコンピュータ読取可能な記録媒体であって、前記命令群は、
ユーザ機器（ＵＥ）から、アップリンク・サブフレームで、シンボルのセットを受信するための命令群と、
前記シンボルのセットを処理するために、前記ＵＥによって選択された送信ダイバーシティ・スキームを判定するための命令群と、ここで、前記送信ダイバーシティ・スキームは、シンボルの初期セットが、１または複数の孤立シンボルを備えているか否かに基づいて、前記ＵＥによって選択され、前記シンボルのセットは、前記シンボルの初期セットが前記１または複数の孤立シンボルを備えている場合、前記１または複数の孤立シンボルを落とした後の、前記シンボルの初期セットから残っているシンボルである、
前記選択された送信ダイバーシティ・スキームに対応する受信ダイバーシティ・スキームを用いて、前記シンボルのセットを処理するための命令群と、
を備えるコンピュータ読取可能な記録媒体。
【請求項２５】
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、請求項２４に記載のコンピュータ読取可能な記録媒体。
【請求項２６】
前記判定するための命令群は、前記シンボルの初期セットが、前記ＵＥによって前記シンボルのセットを処理する前に、前記１または複数の孤立シンボルを備えていた場合、符号化が単一のシンボル内で実行される送信ダイバーシティ・スキームが前記ＵＥによって選択されたと判定するための命令群を備える、請求項２４に記載のコンピュータ読取可能な記録媒体。
【請求項２７】
前記受信するための命令群は、前記シンボルのセットを、少なくとも４つの送信アンテナを介して前記ＵＥから受信するための命令群を備える、請求項２４に記載のコンピュータ読取可能な記録媒体。
【請求項２８】
無線通信のための装置であって、
アップリンク・サブフレームにおいて送信されるべきシンボルのセットが、１または複数の孤立シンボルを備えているかを判定し、
前記判定に基づいて、複数の送信ダイバーシティ・スキームから、送信ダイバーシティ・スキームを選択し、
前記選択された送信ダイバーシティ・スキームを用いて、前記シンボルのセットを処理し、ここで、前記処理することは、前記シンボルのセットが前記１または複数の孤立シンボルを備えている場合、前記１または複数の孤立シンボルを落とすことと、前記選択された送信ダイバーシティ・スキームを前記シンボルのセットのうちの残りのシンボルに適用することとを含む、
前記処理されたシンボルを、複数の送信アンテナを介して、前記アップリンク・サブフレームで送信する、
ように構成された少なくとも１つのプロセッサと、
前記少なくとも１つのプロセッサに接続されたメモリと、
を備える装置。
【請求項２９】
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、請求項２８に記載の装置。
【請求項３０】
前記選択するように構成された少なくとも１つのプロセッサはさらに、符号化が単一のシンボル内で実行される送信ダイバーシティ・スキームを選択するように構成された、請求項２８に記載の装置。
【請求項３１】
前記選択するように構成された少なくとも１つのプロセッサはさらに、前記シンボルのセットが、前記１または複数の孤立シンボルを備えているのであれば、空間時間送信ダイバーシティ・スキームを選択するように構成される、請求項２８に記載の装置。
【請求項３２】
前記送信するように構成された少なくとも１つのプロセッサはさらに、前記処理されたシンボルを、少なくとも４つの送信アンテナを介して送信するように構成された、請求項２８に記載の装置。
【請求項３３】
無線通信のための装置であって、
ユーザ機器（ＵＥ）から、アップリンク・サブフレームで、シンボルのセットを受信し、
前記シンボルのセットを処理するために、前記ＵＥによって選択された送信ダイバーシティ・スキームを判定し、ここで、前記送信ダイバーシティ・スキームは、シンボルの初期セットが、１または複数の孤立シンボルを備えているか否かに基づいて、前記ＵＥによって選択され、前記シンボルのセットは、前記シンボルの初期セットが前記１または複数の孤立シンボルを備えている場合、前記１または複数の孤立シンボルを落とした後の、前記シンボルの初期セットから残っているシンボルである、
前記選択された送信ダイバーシティ・スキームに対応する受信ダイバーシティ・スキームを用いて、前記シンボルのセットを処理する、
ように構成された少なくとも１つのプロセッサと、
前記少なくとも１つのプロセッサに接続されたメモリと、
を備える装置。
【請求項３４】
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、請求項３３に記載の装置。
【請求項３５】
前記判定するように構成された少なくとも１つのプロセッサはさらに、前記シンボルの初期セットが、前記ＵＥによって前記シンボルのセットを処理する前に、前記１または複数の孤立シンボルを備えていた場合、符号化が単一のシンボル内で実行される送信ダイバーシティ・スキームが前記ＵＥによって選択されたと判定するように構成された、請求項３３に記載の装置。
【請求項３６】
前記受信するように構成された少なくとも１つのプロセッサはさらに、前記シンボルのセットを、少なくとも４つの送信アンテナを介して前記ＵＥから受信するように構成された、請求項３３に記載の装置。
【発明の詳細な説明】
【優先権主張】
【０００１】
本特許出願は、本願の譲受人に譲渡され、本明細書において参照によって明確に組み込まれている２００９年６月１８日出願の仮特許出願６１／２１８，２４９号の利益を主張する。
【技術分野】
【０００２】
本開示のある態様は、一般に、無線通信に関し、さらに詳しくは、アップリンク無線通信を容易にする方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００７】
ある態様は、無線通信のための方法を提供する。この方法は一般に、アップリンク・サブフレームにおいて送信されるべきシンボルのセットが、１または複数の孤立シンボルを備えているかを判定することと、この判定に基づいて、複数の送信ダイバーシティ・スキームから、少なくとも１つの送信ダイバーシティ・スキームを選択することと、選択された送信ダイバーシティ・スキームを用いて、シンボルのセットを処理することと、処理されたシンボルを、複数の送信アンテナを介して、アップリンク・サブフレームで送信することと、を含む。
【０００８】
ある態様は、無線通信のための方法を提供する。この方法は一般に、ユーザ機器（ＵＥ）から、アップリンク・サブフレームで、シンボルのセットを受信することと、シンボルのセットを処理するために、シンボルのセットが、処理前に、１または複数の孤立シンボルを備えていたかに基づいて、ＵＥによって選択された少なくとも１つの送信ダイバーシティ・スキームを判定することと、選択された送信ダイバーシティ・スキームに対応する受信ダイバーシティ・スキームを用いて、シンボルのセットを処理することと、を含む。
【０００９】
ある態様は、無線通信のための装置を提供する。この装置は一般に、アップリンク・サブフレームにおいて送信されるべきシンボルのセットが、１または複数の孤立シンボルを備えているかを判定するためのロジックと、この判定に基づいて、複数の送信ダイバーシティ・スキームから、少なくとも１つの送信ダイバーシティ・スキームを選択するためのロジックと、選択された送信ダイバーシティ・スキームを用いて、シンボルのセットを処理するためのロジックと、処理されたシンボルを、複数の送信アンテナを介して、アップリンク・サブフレームで送信するためのロジックと、を含む。
【００１０】
ある態様は、無線通信のための装置を提供する。これら命令群は一般に、ユーザ機器（ＵＥ）から、アップリンク・サブフレームで、シンボルのセットを受信するためのロジックと、シンボルのセットを処理するために、シンボルのセットが、処理前に、１または複数の孤立シンボルを備えていたかに基づいて、ＵＥによって選択された少なくとも１つの送信ダイバーシティ・スキームを判定するためのロジックと、選択された送信ダイバーシティ・スキームに対応する受信ダイバーシティ・スキームを用いて、シンボルのセットを処理するためのロジックと、を含む。
【００１１】
ある態様は、無線通信のための装置を提供する。この装置は一般に、アップリンク・サブフレームにおいて送信されるべきシンボルのセットが、１または複数の孤立シンボルを備えているかを判定する手段と、この判定に基づいて、複数の送信ダイバーシティ・スキームから、少なくとも１つの送信ダイバーシティ・スキームを選択する手段と、選択された送信ダイバーシティ・スキームを用いて、シンボルのセットを処理する手段と、処理されたシンボルを、複数の送信アンテナを介して、アップリンク・サブフレームで送信する手段と、を含む。
【００１２】
ある態様は、無線通信のための装置を提供する。この装置は一般に、ユーザ機器（ＵＥ）から、アップリンク・サブフレームで、シンボルのセットを受信する手段と、シンボルのセットを処理するために、シンボルのセットが、処理前に、１または複数の孤立シンボルを備えていたかに基づいて、ＵＥによって選択された少なくとも１つの送信ダイバーシティ・スキームを判定する手段と、選択された送信ダイバーシティ・スキームに対応する受信ダイバーシティ・スキームを用いて、シンボルのセットを処理する手段と、を含む。
【００１３】
ある態様は、１または複数のプロセッサによって実行可能な、格納された命令群を有するコンピュータ読取可能媒体を備える、無線通信のためのコンピュータ・プログラム製品を提供する。これら命令群は一般に、アップリンク・サブフレームにおいて送信されるべきシンボルのセットが、１または複数の孤立シンボルを備えているかを判定するための命令群と、この判定に基づいて、複数の送信ダイバーシティ・スキームから、少なくとも１つの送信ダイバーシティ・スキームを選択するための命令群と、選択された送信ダイバーシティ・スキームを用いて、シンボルのセットを処理するための命令群と、処理されたシンボルを、複数の送信アンテナを介して、アップリンク・サブフレームで送信するための命令群と、を含む。
【００１４】
ある態様は、１または複数のプロセッサによって実行可能な、格納された命令群を有するコンピュータ読取可能媒体を備える、無線通信のためのコンピュータ・プログラム製品を提供する。これら命令群は一般に、ユーザ機器（ＵＥ）から、アップリンク・サブフレームで、シンボルのセットを受信するための命令群と、シンボルのセットを処理するために、シンボルのセットが、処理前に、１または複数の孤立シンボルを備えていたかに基づいて、ＵＥによって選択された少なくとも１つの送信ダイバーシティ・スキームを判定するための命令群と、選択された送信ダイバーシティ・スキームに対応する受信ダイバーシティ・スキームを用いて、シンボルのセットを処理するための命令群と、を含む。
【００１５】
ある態様は、少なくとも１つのプロセッサと、少なくとも１つのプロセッサに接続されたメモリとを備える、無線通信のための装置を提供する。この少なくとも１つのプロセッサは一般に、アップリンク・サブフレームにおいて送信されるべきシンボルのセットが、１または複数の孤立シンボルを備えているかを判定し、この判定に基づいて、複数の送信ダイバーシティ・スキームから、少なくとも１つの送信ダイバーシティ・スキームを選択し、選択された送信ダイバーシティ・スキームを用いて、シンボルのセットを処理し、処理されたシンボルを、複数の送信アンテナを介して、アップリンク・サブフレームで送信する、ように構成される。
【００１６】
ある態様は、少なくとも１つのプロセッサと、少なくとも１つのプロセッサに接続されたメモリとを備える、無線通信のための装置を提供する。この少なくとも１つのプロセッサは一般に、ユーザ機器（ＵＥ）から、アップリンク・サブフレームで、シンボルのセットを受信し、シンボルのセットを処理するために、シンボルのセットが、処理前に、１または複数の孤立シンボルを備えていたかに基づいて、ＵＥによって選択された少なくとも１つの送信ダイバーシティ・スキームを判定し、選択された送信ダイバーシティ・スキームに対応する受信ダイバーシティ・スキームを用いて、シンボルのセットを処理する、ように構成される。
【図面の簡単な説明】
【００１７】
本開示の特徴、特性、および利点は、同一の参照符号が全体を通じて同一物に特定している図面とともに考慮された場合、以下に記載する詳細な記述からより明らかになるだろう。
【図１】図１は、１つの実施形態にしたがう多元接続無線通信システムを例示する。
【図２】図２は、通信システムのブロック図を例示する。
【図３】図３は、開示された主題の態様にしたがって送信ダイバーシティを容易にするシステムの例のブロック図を例示する。
【図４】図４は、本開示の態様にしたがう送信ダイバーシティ・スキームのブロック図を例示する。
【図５】図５は、本開示の別の態様にしたがう送信ダイバーシティ・スキームのブロック図を例示する。
【図６】図６は、本開示のさらに別の態様にしたがう送信ダイバーシティ・スキームのブロック図を例示する。
【図７】図７は、本開示のさらにまた別の態様にしたがう送信ダイバーシティ・スキームのブロック図を例示する。
【図８】図８は、本開示の態様にしたがう送信ダイバーシティ・スキームのブロック図を例示する。
【図９】図９は、本開示の態様にしたがうダイバーシティ・スキームの適応選択の方法のフローチャート図を例示する。
【図１０】図１０は、本開示の別の態様にしたがうダイバーシティ・スキームの適応選択の方法のフローチャート図を例示する。
【図１１】図１１は、本開示のさらに別の態様にしたがうダイバーシティ・スキームの適応選択の方法のフローチャート図を例示する。
【発明を実施するための形態】
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ｃｄｍａ２０００は、ＩＳ−２０００規格、ＩＳ−９５規格、およびＩＳ−８５６規格をカバーする。ＴＤＭＡネットワークは、例えばグローバル・システム・フォー・モバイル通信（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１９】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有の単一キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。それは現在、３ＧＰＰロング・ターム・イボリューション（ＬＴＥ）またはイボルブドＵＴＲＡにおけるアップリンク多元接続スキームのための動作前提である。
【００２０】
図１に示すように、１つの実施形態にしたがう多元接続無線通信システムが例示される。アクセス・ポイント１００（ＡＰ）は、１つは１０４、１０６を含み、他のものは１０８、１１０を含み、さらに他のものは１１２、１１４を含む複数のアンテナ・グループを含んでいる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２１】
アンテナの各グループ、および／または、これらが通信するように設計された領域は、しばしば、アクセス・ポイントのセクタと称される。実施形態では、おのおののアンテナ・グループは、アクセス・ポイント１００によってカバーされる領域のセクタ内のアクセス端末と通信するように設計される。
【００２２】
順方向リンク１２０、１２６による通信では、アクセス・ポイント１００の送信アンテナは、他のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２３】
アクセス・ポイントは、端末との通信のために使用される固定局であり、アクセス・ポイント、ノードＢ、イボルブド・ノードＢ（ｅＮｏｄｅ  Ｂ）、あるいはその他のある専門用語で称されうる。アクセス端末はまた、アクセス端末、ユーザ機器（ＵＥ）、無線通信デバイス、端末、アクセス端末、あるいはその他いくつかの専門用語で称されうる。
【００２４】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２５】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００２６】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２９】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３１】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３２】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機（ＴＭＴＲ）２５４ａ乃至２５４ｒによって調整され、基地局２１０へ送り戻される。
【００３３】
送信機システム２１０では、受信機システム２５０からの変調信号がアンテナ２２４によって受信され、受信機２２２によって調整され、復調器２４０によって復調され、ＲＸデータ・プロセッサ２４２によって処理されることによって、受信機システム２５０によって送信された逆方向リンク・メッセージが抽出される。さらに、プロセッサ２３０は、ビームフォーミング重みを決定するためにどの事前符号化行列を使用するかを決定し、この抽出されたメッセージを処理する。
【００３４】
態様では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。態様では、論理トラフィック・チャネルは、ユーザ情報の転送のために、１つのＵＥに専用のポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを備える。
【００３５】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされ、他の制御／トラフィック・チャネルのために使用されるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００３６】
ＤＬ  ＰＨＹチャネルは、以下を備える。  
共通パイロット・チャネル（ＣＰＩＣＨ）  
同期チャネル（ＳＣＨ）  
共通制御チャネル（ＣＣＣＨ）  
共有ＤＬ制御チャネル（ＳＤＣＣＨ）  
マルチキャスト制御チャネル（ＭＣＣＨ）  
共有ＵＬ割当チャネル（ＳＵＡＣＨ）  
アクノレッジメント・チャネル（ＡＣＫＣＨ）  
ＤＬ物理共有データ・チャネル（ＤＬ−ＰＳＤＣＨ）  
ＵＬ電力制御チャネル（ＵＰＣＣＨ）  
ページング・インジケータ・チャネル（ＰＩＣＨ）  
負荷インジケータ・チャネル（ＬＩＣＨ）。
【００３７】
ＵＬ  ＰＨＹチャネルは、以下を備える。  
物理ランダム・アクセス・チャネル（ＰＲＡＣＨ）  
チャネル品質インジケータ・チャネル（ＣＱＩＣＨ）  
アクノレッジメント・チャネル（ＡＣＫＣＨ）  
アンテナ・サブセット・インジケータ・チャネル（ＡＳＩＣＨ）  
共有要求チャネル（ＳＲＥＱＣＨ）  
ＵＬ物理共有データ・チャネル（ＵＬ−ＰＳＤＣＨ）  
ブロードキャスト・パイロット・チャネル（ＢＰＩＣＨ）。
【００３８】
態様では、シングル・キャリア波形の低ＰＡＲ（所与の時間において、チャネルは、周波数において隣接しているか、あるいは一定の間隔をもって配置されている）特性を維持するチャネル構造が提供される。
【００３９】
本書の目的のために、以下の略語を適用する。  
ＡＭ：アクノレッジ・モード  
ＡＭＤ：アクノレッジ・モード・データ  
ＡＲＱ：自動反復要求  
ＢＣＣＨ：ブロードキャスト制御チャネル  
ＢＣＨ：ブロードキャスト・チャネル  
Ｃ−：制御−  
ＣＣＣＨ：共通制御チャネル  
ＣＣＨ：制御チャネル  
ＣＣＴｒＣＨ：符号化された合成伝送チャネル  
ＣＰ：サイクリック・プレフィクス  
ＣＲＣ：巡回冗長検査  
ＣＴＣＨ：共通トラフィック・チャネル  
ＤＣＣＨ：専用制御チャネル  
ＤＣＨ：専用チャンネル  
ＤＬ：ダウンリンク  
ＤＳＣＨ：ダウンリンク共有チャネル  
ＤＴＣＨ：専用トラフィック・チャネル  
ＦＡＣＨ：順方向リンク・アクセス・チャンネル  
ＦＤＤ：周波数分割デュプレクス  
Ｌ１：レイヤ１（物理レイヤ）  
Ｌ２：レイヤ２（データ・リンク・レイヤ）  
Ｌ３：レイヤ３（ネットワーク・レイヤ）  
ＬＩ：長さインジケータ  
ＬＳＢ：最下位ビット  
ＭＡＣ：媒体アクセス制御  
ＭＢＭＳ：マルチメディア・ブロードキャスト・マルチキャスト・サービス  
ＭＣＣＨ：ＭＢＭＳポイント・トゥ・マルチポイント制御チャネル  
ＭＲＷ：動き受信ウィンドウ  
ＭＳＢ：最上位ビット  
ＭＳＣＨ：ＭＢＭＳポイント・トゥ・マルチポイント・スケジューリング・チャネル  
ＭＴＣＨ：ＭＢＭＳポイント・トゥ・マルチポイント・トラフィック・チャネル  
ＰＣＣＨ：ページング制御チャネル  
ＰＣＨ：ページング・チャネル  
ＰＤＵ：プロトコル・データ・ユニット  
ＰＨＹ：物理レイヤ  
ＰｈｙＣＨ：物理チャネル  
ＲＡＣＨ：ランダム・アクセス・チャネル  
ＲＬＣ：ラジオ・リンク制御  
ＲＲＣ：ラジオ・リソース制御  
ＳＡＰ：サービス・アクセス・ポイント  
ＳＤＵ：サービス・データ・ユニット  
ＳＨＣＣＨ：共有チャネル制御チャネル  
ＳＮ：シーケンス番号  
ＳＵＦＩ：スーパ・フィールド  
ＴＣＨ：トラフィック・チャネル  
ＴＤＤ：時分割デュプレクス  
ＴＦＩ：伝送フォーマット・インジケータ  
ＴＭ：透過モード  
ＴＭＤ：透過モード・データ  
ＴＴＩ：送信時間インタバル  
Ｕ−：ユーザ−  
ＵＥ：ユーザ機器  
ＵＬ：アップリンク  
ＵＭ：非アクノレッジ・モード  
ＵＭＤ：非アクノレッジ・モード・データ  
ＵＭＴＳ：ユニバーサル・モバイル通信システム  
ＵＴＲＡ：ＵＭＴＳ地上ラジオ・アクセス  
ＵＴＲＡＮ：ＵＭＴＳ地上ラジオ・アクセス・ネットワーク  
ＭＢＳＦＮ：マルチキャスト・ブロードキャスト単一周波数ネットワーク  
ＭＣＥ：ＭＢＭＳ調整エンティティ  
ＭＣＨ：マルチキャスト・チャネル  
ＤＬ−ＳＣＨ：ダウンリンク共有チャネル  
ＭＳＣＨ：ＭＢＭＳ制御チャネル  
ＰＤＣＣＨ：物理ダウンリンク制御チャネル  
ＰＤＳＣＨ：物理ダウンリンク共有チャネル
（ＰＵＳＣＨ送信ダイバーシティ・スキーム選択）  
図３は、本開示のある態様にしたがって送信ダイバーシティを実現しうるシステム３００の例を例示する。
【００４０】
このシステム３００は、ユーザ機器（ＵＥ）３０４（例えば、移動局、モバイル・デバイス、および／または、（図示しない）任意の数の異なるデバイス）と通信しうる基地局３０２（例えば、アクセス・ポイント、ノードＢ、ｅノードＢ等）を含む。基地局３０２は、順方向リンク・チャネルすなわちダウンリンク・チャネルで、ユーザ機器３０４に情報を送信しうる。さらに、基地局３０２は、逆方向リンク・チャネルすなわちアップリンク・チャネルで、ユーザ機器３０４から情報を受信しうる。さらに、システム３００は、ＭＩＭＯシステムでありうる。さらに、システム３００は、とりわけＯＦＤＭＡ無線ネットワーク（例えば、３ＧＰＰ、３ＧＰＰ２、３ＧＰＰ  ＬＴＥ）において動作しうる。さらに、基地局３０２内において図示および以下に説明される構成要素および機能は、一例において、逆に、ユーザ機器３０４内にも存在することができうる。
【００４１】
ユーザ機器３０４は、ダイバーシティ・スキーム選択（ＤＳＳ）構成要素３０６を含みうる。１つの実施形態によれば、ＤＳＳ構成要素３０６は、物理アップリンク共有チャネル（ＰＵＳＣＨ）送信ダイバーシティ・スキームの適応選択を可能しうる。以下により詳細に説明するように、ＰＵＳＣＨ送信ダイバーシティのためのさまざまな候補スキームは、限定される訳ではないが、空間周波数ブロック符号（ＳＦＢＣ）、空間−時間ブロック符号（ＳＴＢＣ）、低キュービック・メトリック（ＣＭ）ＳＦＢＣ、サイクリック遅延ダイバーシティ（ＣＤＤ）、および周波数切換送信ダイバーシティ（ＦＳＴＤ）を含む。
【００４２】
図９乃至図１１を参照して後述するように、ある態様によれば、１または複数の送信ダイバーシティ・スキームは、送信されるべきシンボルのサブフレームが、孤立シンボルを含むか否かに基づいて、ＵＥによって選択されうる。
【００４３】
図４は、ＳＦＢＣ、すなわち、本発明の実施形態で使用されうる送信ダイバーシティ・スキームを例示するブロック図である。ＳＦＢＣは、時間領域ではなく、周波数領域に適用されるＡｌａｍｏｕｔｉ符号の形態である。ＳＦＢＣスキームは、複数のデータ・シンボル４０４が、Ｍポイント離散フーリエ変換（Ｍ−ＤＦＴ）４０２で実行されるときに始まる。シンボル４０４は、その後、シンボル４０４を符号化シンボル４０８、４１０に符号化するＳＦＢＣブロック４０６によって処理され、これら符号化シンボルは、（例えば図示するようなＡＮＴ１およびＡＮＴ２のような）複数の送信アンテナによる送信のためにＮ−サブキャリア逆高速フーリエ変換（Ｎ−ＩＦＦＴ）４１２によって処理されうる。
【００４４】
符号における２つの隣接したトーンは、Ａｌａｍｏｕｔｉ符号を形成しうる。１つの態様では、変調シンボル４１４によって例示されるように、各ペアの第２のアンテナへのマッピングが、逆順序化、符号反転、および複素共役化される。ＳＦＢＣは、有利なことに、符号化が、単一のシンボル内で実行されることを許可し、無符号化ダイバーシティが達成されることを可能する。しかしながら、ＳＦＢＣスキームを使用する場合、第２の送信アンテナでは、単一キャリア波形は保存されない。
【００４５】
両送信アンテナにおいて単一キャリア特性を保存するために、低ＣＭ  ＳＦＢＣが適用されうる。これは、図５に示すように、「トーン−マッピング」においてＳＦＢＣとは異なる。以前にＳＦＢＣの下で述べたように、２つの隣接または連続するトーンは、Ａｌａｍｏｕｔｉ符号ワードを形成する。逆に、低ＣＭ  ＳＦＢＣでは、２つの離れたトーンが、Ａｌａｍｏｕｔｉ符号ワードを形成しうる。２つのトーン間のこの距離は、占有された合計数のトーンの半分の大きさでありうる。示された例では、Ｍ＝８である場合、低ＣＭ  ＳＦＢＣ演算５０６は、トーンが４トーン離れている場合、シンボル４０４から符号５０８、５１０を生成しうる。低ＣＭ  ＳＦＢＣは、有利なことに、単一シンボル内で符号化が実行されることを許可し、無符号化ダイバーシティを可能にし、両アンテナにおいてＳＣ−ＦＤＭ波形を保存する。しかしながら、チャネル周波数選択性により、ＳＦＢＣと比較して、パフォーマンス・ロスが生じ、満足できるパフォーマンスを達成するために、最小平均平方誤り（ＭＭＳＥ）受信機が必要でありうる。
【００４６】
図６は、ＳＴＢＣ、すなわち、本発明の実施形態において使用されうる別のダイバーシティ・スキームを例示するブロック図である。ＳＴＢＣは、周波数領域ではなく、時間領域で適用されるＡｌａｍｏｕｔｉ符号スキームの形態でもある。図６に例示されるように、Ｍ−ポイントＤＦＴ４０２によって演算されたシンボル６０４、６０６からなる少なくとも２つのセットで開始される。ＳＴＢＣ演算６０８は、時間領域において隣接するシンボル６１０、６１２のペアに対して演算する。ＳＴＢＣでは、２つのＳＣ−ＦＤＭシンボル６１０、６１２に上に形成された同じトーンが、Ａｌａｍｏｕｔｉ符号ワードを形成する。ＳＴＢＣは、有利なことに、両送信アンテナにおいて単一キャリア波形を保存し、無符号化ダイバーシティを達成する。しかしながら、ペアをなすＳＣ−ＦＤＭシンボルは、ＳＴＢＣ符号化を実行することを要求されることが認められる。それゆえ、他のシンボルとペアをなすことが不可能な、残った孤立シンボルは、別のスキームを必要としうる。
【００４７】
図７および図８は、本発明の他の実施形態で使用されうるその他のダイバーシティ・スキームであるＣＤＤおよびＦＳＴＤをそれぞれ例示する。図７に例示されているように、ＣＤＤ演算７０６は、複数の送信アンテナから、各アンテナにおいて異なる遅延で、ＯＦＤＭサブキャリアのセットで、ＯＦＤＭシンボル７０８Ａ、７０８Ｂの同じセットを送信することを含む。図８に例示されているように、ＦＳＴＤ演算８０６は、シンボル８０２、８０４を、サブキャリアの異なるセットに関し、各送信アンテナのために、偶数−奇数スプリット符号またはトップ−ボトム・スプリット符号８０８に変換する。ＣＤＤおよびＦＳＴＤ両方とも、単一シンボルに対する符号化を実行し、符号化のダイバーシティを達成し、有利なことに、両送信アンテナにおいて、ＳＣ−ＦＤＭ波形を保存する。しかしながら、ＣＤＤおよびＦＳＴＤは、無符号化ダイバーシティを提供しない。
【００４８】
次の開示は、ＳＴＢＣスキームとともに使用するための本発明の実施形態を記述しているが、代わりに、その他のダイバーシティ・スキームが使用されうることが認められる。本開示は、２アンテナ送信ダイバーシティを示しているが、ＵＥが４つの送信アンテナを有する場合、アンテナ仮想化が適用され、２アンテナ送信ダイバーシティ・スキームが、仮想化されたアンテナの先頭に適用されうることもまた認められる。送信アンテナ間で起こりうる相関付けを回避するために、仮想アンテナのための仮想化ベクトルは、スロット境界、または、サブフレーム境界においてランダムにホップしうる。
【００４９】
１つの実施形態では、ＳＴＢＣダイバーシティ・スキームが、アップリンク通信において適用されうる。上述したように、ＳＴＢＣは、ペアをなすシンボル（例えば、ＳＣ−ＦＤＭＡシンボル）に対して演算を行う。しかしながら、ＳＴＢＣの使用が途絶されるような奇数シンボル、すなわち、「孤立シンボル」が存在しうるいくつかの場合がある。これらの状態は、以下に、より詳細に記述される。
【００５０】
図９は、１つの実施形態にしたがうダイバーシティ・スキームの適応選択のための方法９００を例示する。１つの実施形態では、方法９００は、図３のＤＳＳ構成要素３０６によって実行されうる。ＤＳＳ構成要素３０６は、孤立シンボルが生じた場合、孤立シンボルに対処するように動作しうる。さらに詳しくは、ＤＳＳ構成要素は、ダイバーシティ・スキームを、選択的および／または適応的に適用しうる。
【００５１】
９１０において、ＰＵＳＣＨにおけるサブフレームが評価されうる。９２０において、ペアをなすＳＣ−ＦＤＭＡシンボルに、ＳＴＢＣスキームが適用されうる。９３０において、例えば、ＣＤＤ，ＦＳＴＤ、および低ＣＭ  ＳＦＢＣのように、単一シンボルで動作する別のダイバーシティ・スキームが、孤立シンボルに適用されうる。このアプローチは、孤立シンボルが存在するかに依存して、単一サブフレーム内で、２つの異なる送信ダイバーシティ・スキームに至りうることが注目されるべきである。これは、以下に示す別の実装に比べて、受信機の実装の複雑さを増加させうる。
【００５２】
図１０は、ある実施形態にしたがう適応選択方法のフローチャート図１０００である。１０１０において、１または複数の孤立シンボルが存在するか不在であるかを判定するために、ＰＵＳＣＨにおけるサブフレームが評価されうる。１０２０において、検出された孤立シンボルは、サブフレームから落とされるか、そうでない場合には、無視されうる。１０３０において、ＳＴＢＣ送信ダイバーシティ・スキームが、処理のために、ペアをなす残りのシンボルに適用されうる。
【００５３】
図１１は、ある実施形態にしたがうダイバーシティ・スキーム選択の方法のフローチャート図１１００である。１１１０において、アップリンク・サブフレームにおいて送信されるべきシンボルのセットが、１または複数の孤立シンボルを備えるかに関する判定がなされる。孤立シンボルは、サブフレームが奇数のシンボルを含んでいる場合に、サブフレーム内に存在しうる。これは、サウンディング基準信号（ＳＲＳ）がサブフレームに存在している場合であるか、または、拡張サイクリック・プレフィクスが利用されているときにスロット境界に周波数ホッピングが適用されている場合に、潜在的に生じうる。あるいは、孤立シンボルは、偶数のフレームを含むサブフレーム内には存在しない。なぜなら、これらシンボルは、ペアをなしているからである。
【００５４】
一例において、おのおののアップリンク・スロットが、６つのデータＳＣ−ＦＤＭＡシンボルを含んでいる、通常のサイクリック・プレフィクスを仮定すると、孤立データ・シンボルは、ＳＲＳが、１つのデータ・シンボルをパンクチャする場合に、サブフレームの第２のスロットに発生しうる。別の例において、孤立データ・シンボルは、おのおののアップリンク・スロットが、５つのデータＳＣ−ＦＤＭＡシンボルを含む、拡張サイクリック・プレフィクスの場合に発生しうる。この例では、スロット境界において周波数ホッピングがないのであれば、（シンボルのペアに対する演算である）ＳＴＢＣスキームのために適切なデータ・シンボルが存在しうる。孤立シンボルは、ＳＲＳが、通常のサイクリック・プレフィクス構成において、１つのデータ・シンボルをパンクチャする場合に発生しうる。それに加えて、拡張サイクリック・プレフィクス構成におけるスロット境界において周波数ホッピングがあるのであれば、孤立シンボルは、ＳＲＳが存在することによってどのシンボルもパンクチャされるべきではない場合に、何れかのスロットに存在しうる。ＳＲＳによって、最後のフレームがパンクチャされた場合、サブフレームの最初のフレーム内に、１つの孤立シンボルが存在しうる。
【００５５】
１つの態様では、特定のサブフレーム内のＳＲＳの存在がシグナルされ、例えばレイヤ３シグナリングのような高次レイヤによって設定されるので、基地局３０２は、孤立シンボルがいつ発生するのかを予め決定することができる。
【００５６】
孤立シンボルが存在するかが判定された後、この判定に基づいて、複数の送信ダイバーシティ・スキームから、少なくとも１つの送信ダイバーシティ・スキームが選択されうる。選択された送信ダイバーシティ・スキームを用いて、シンボルのセットが処理されうる。１つの実施形態では、１１１０において、孤立シンボルが、サブフレーム内に存在しないと判定される（“ＮＯ”）と、１１２０において、空間時間ダイバーシティ・スキームが選択されうる。１つの実施形態では、ＳＴＢＣが選択され、すべてのシンボルに対して適用されるか、あるいは、すべてのシンボルに対して実行されうる。
【００５７】
あるいは、１１１０において、孤立シンボルが、サブフレーム内に存在すると判定される（“ＹＥＳ”）と、１１３０において、符号化が単一のシンボル内で実行される別の送信ダイバーシティ・スキームが選択され、孤立シンボルを含むサブフレーム内のすべてのシンボルに対して適用されうる。１つの実施形態では、シンボルのペアではなく、単一のシンボル内で符号化が実行される別のダイバーシティ・スキームは、ＳＦＢＣ、低ＣＭ  ＳＦＢＣ、ＣＤＤ、およびＦＳＴＤを含みうる。
【００５８】
最終的に、処理されたシンボルは、複数の送信アンテナを介して、アップリンク・サブフレームで送信されうる。１つの実施形態では、少なくとも４つの送信アンテナが、処理されたシンボルを、アップリンク・サブフレームで送信しうる。
【００５９】
本明細書で開示された技術は有利なことに、１つのサブフレーム内で基地局３０２が２つの異なるダイバーシティ・スキームを処理する必要性を回避するので、基地局３０２における受信機実装をより簡素化することが注目されるべきである。
【００６０】
「典型的である」またはそのさまざまな形態は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。さらに、これら例は単に、権利主張される主題、または任意の方式による本開示の関連部分の明確化および理解の目的で提供されており、これらを限定することも制限することも意味されていない。スコープを変更する多くの追加の例または代替例が存在しうるが、簡略の目的で省略されていることが認識されるべきである。
【００６１】
本明細書で使用されるように、「推論」または「推論する」という用語は、一般に、イベントおよび／またはデータによって取得された発見のセットからの、システム、環境、および／または、ユーザの状態に関する推理または推論の処理を称する。推論は、特定のコンテキストまたは動作を識別するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。（例えば、サポート・ベクトル・マシン、ニューラル・ネット、エキスパート・システム、ベイジアン確率ネットワーク、ファジー理論、データ融合エンジン等のような）さまざまな分類スキームおよび／またはシステムが、主題技術に関連する自動および／または推論動作を実行することに関連して適用されうる。
【００６２】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６３】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００６４】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００６５】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを  用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６６】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリート部品として存在しうる。
【００６７】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に本件出願当初の特許請求の範囲を付記する。
［Ｃ１］
無線通信のための方法であって、
アップリンク・サブフレームにおいて送信されるべきシンボルのセットが、１または複数の孤立シンボルを備えているかを判定することと、
前記判定に基づいて、複数の送信ダイバーシティ・スキームから、少なくとも１つの送信ダイバーシティ・スキームを選択することと、
前記選択された送信ダイバーシティ・スキームを用いて、前記シンボルのセットを処理することと、
前記処理されたシンボルを、複数の送信アンテナを介して、前記アップリンク・サブフレームで送信することと、
を備える方法。
［Ｃ２］
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、［Ｃ１］に記載の方法。
［Ｃ３］
前記選択することは、前記シンボルのセットが、前記１または複数の孤立シンボルを備えていないのであれば、空間時間ダイバーシティを選択することを備える、［Ｃ１］に記載の方法。
［Ｃ４］
前記選択することは、符号化が単一のシンボル内で実行される送信ダイバーシティ・スキームを選択することを備える、［Ｃ１］に記載の方法。
［Ｃ５］
前記選択することは、前記シンボルのセットが、前記１または複数の孤立シンボルを備えているのであれば、空間時間ダイバーシティを選択することを備え、
前記選択された送信ダイバーシティ・スキームを用いて前記シンボルのセットを処理することは、前記１または複数の孤立シンボルを落とすことと、前記空間時間ダイバーシティ・スキームを残りのシンボルに適用することとを備える、［Ｃ１］に記載の方法。
［Ｃ６］
前記送信することは、前記処理されたシンボルを、少なくとも４つの送信アンテナを介して送信することを備える、［Ｃ１］に記載の方法。
［Ｃ７］
無線通信のための方法であって、
ユーザ機器（ＵＥ）から、アップリンク・サブフレームで、シンボルのセットを受信することと、
前記シンボルのセットを処理するために、前記シンボルのセットが、処理前に、１または複数の孤立シンボルを備えていたかに基づいて、前記ＵＥによって選択された少なくとも１つの送信ダイバーシティ・スキームを判定することと、
前記選択された送信ダイバーシティ・スキームに対応する受信ダイバーシティ・スキームを用いて、前記シンボルのセットを処理することと、
を備える方法。
［Ｃ８］
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、［Ｃ７］に記載の方法。
［Ｃ９］
前記判定することは、前記シンボルのセットが、前記ＵＥによる処理の前に、前記１または複数の孤立シンボルを備えていない場合、空間時間ダイバーシティ・スキームが、前記ＵＥによって選択されたと判定することを備える、［Ｃ７］に記載の方法。
［Ｃ１０］
前記判定することは、前記シンボルのセットが、前記ＵＥによる処理の前に、前記１または複数の孤立シンボルを備えていた場合、符号化が単一のシンボル内で実行される送信ダイバーシティ・スキームが、前記ＵＥによって選択されたと判定することを備える、［Ｃ７］に記載の方法。
［Ｃ１１］
前記シンボルのセットを受信することは、前記シンボルのセットを、少なくとも４つのアンテナから受信することを備える、［Ｃ７］に記載の方法。
［Ｃ１２］
無線通信のための装置であって、
アップリンク・サブフレームにおいて送信されるべきシンボルのセットが、１または複数の孤立シンボルを備えているかを判定する手段と、
前記判定に基づいて、複数の送信ダイバーシティ・スキームから、少なくとも１つの送信ダイバーシティ・スキームを選択する手段と、
前記選択された送信ダイバーシティ・スキームを用いて、前記シンボルのセットを処理する手段と、
前記処理されたシンボルを、複数の送信アンテナを介して、前記アップリンク・サブフレームで送信する手段と、
を備える装置。
［Ｃ１３］
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、［Ｃ１２］に記載の装置。
［Ｃ１４］
前記選択する手段は、前記シンボルのセットが、前記１または複数の孤立シンボルを備えていないのであれば、空間時間ダイバーシティを選択する手段を備える、［Ｃ１２］に記載の装置。
［Ｃ１５］
前記選択する手段は、符号化が単一のシンボル内で実行される送信ダイバーシティ・スキームを選択する手段を備える、［Ｃ１２］に記載の装置。
［Ｃ１６］
前記選択する手段は、前記シンボルのセットが、前記１または複数の孤立シンボルを備えているのであれば、空間時間ダイバーシティを選択する手段を備え、
前記選択された送信ダイバーシティ・スキームを用いて前記シンボルのセットを処理する手段は、前記１または複数の孤立シンボルを落とす手段と、前記空間時間ダイバーシティ・スキームを残りのシンボルに適用する手段とを備える、［Ｃ１２］に記載の装置。
［Ｃ１７］
前記送信する手段は、前記処理されたシンボルを、少なくとも４つの送信アンテナを介して送信する手段を備える、［Ｃ１２］に記載の装置。
［Ｃ１８］
無線通信のための装置であって、
ユーザ機器（ＵＥ）から、アップリンク・サブフレームで、シンボルのセットを受信する手段と、
前記シンボルのセットを処理するために、前記シンボルのセットが、処理前に、１または複数の孤立シンボルを備えていたかに基づいて、前記ＵＥによって選択された少なくとも１つの送信ダイバーシティ・スキームを判定する手段と、
前記選択された送信ダイバーシティ・スキームに対応する受信ダイバーシティ・スキームを用いて、前記シンボルのセットを処理する手段と、
を備える装置。
［Ｃ１９］
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、［Ｃ１８］に記載の装置。
［Ｃ２０］
前記判定する手段は、前記シンボルのセットが、前記ＵＥによる処理の前に、前記１または複数の孤立シンボルを備えていない場合、空間時間ダイバーシティ・スキームが、前記ＵＥによって選択されたと判定する手段を備える、［Ｃ１８］に記載の装置。
［Ｃ２１］
前記判定する手段は、前記シンボルのセットが、前記ＵＥによる処理の前に、前記１または複数の孤立シンボルを備えていた場合、符号化が単一のシンボル内で実行される送信ダイバーシティ・スキームが前記ＵＥによって選択されたと判定する手段を備える、［Ｃ１８］に記載の装置。
［Ｃ２２］
前記受信する手段は、前記シンボルのセットを、少なくとも４つの送信アンテナを介して前記ＵＥから受信する手段を備える、［Ｃ１８］に記載の装置。
［Ｃ２３］
１または複数のプロセッサによって実行可能な、格納された命令群を有するコンピュータ読取可能媒体を備える、無線通信のためのコンピュータ・プログラム製品であって、前記命令群は、
アップリンク・サブフレームにおいて送信されるべきシンボルのセットが、１または複数の孤立シンボルを備えているかを判定するための命令群と、
前記判定に基づいて、複数の送信ダイバーシティ・スキームから、少なくとも１つの送信ダイバーシティ・スキームを選択するための命令群と、
前記選択された送信ダイバーシティ・スキームを用いて、前記シンボルのセットを処理するための命令群と、
前記処理されたシンボルを、複数の送信アンテナを介して、前記アップリンク・サブフレームで送信するための命令群と、
を備えるコンピュータ・プログラム製品。
［Ｃ２４］
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、［Ｃ２３］に記載のコンピュータ・プログラム製品。
［Ｃ２５］
前記選択するための命令群は、前記シンボルのセットが、前記１または複数の孤立シンボルを備えていないのであれば、空間時間ダイバーシティを選択するための命令群を備える、［Ｃ２３］に記載のコンピュータ・プログラム製品。
［Ｃ２６］
前記選択するための命令群は、符号化が単一のシンボル内で実行される送信ダイバーシティ・スキームを選択することを備える、［Ｃ２３］に記載のコンピュータ・プログラム製品。
［Ｃ２７］
前記選択するための命令群は、前記シンボルのセットが、前記１または複数の孤立シンボルを備えているのであれば、空間時間ダイバーシティを選択するための命令群を備え、
前記選択された送信ダイバーシティ・スキームを用いて、前記シンボルのセットを処理するための命令群は、前記１または複数の孤立シンボルを落とし、前記空間時間ダイバーシティ・スキームを残りのシンボルに適用するための命令群を備える、［Ｃ２３］に記載のコンピュータ・プログラム製品。
［Ｃ２８］
前記送信するための命令群は、前記処理されたシンボルを、少なくとも４つの送信アンテナを介して送信するための命令群を備える、［Ｃ２３］に記載のコンピュータ・プログラム製品。
［Ｃ２９］
１または複数のプロセッサによって実行可能な、格納された命令群を有するコンピュータ読取可能媒体を備える、無線通信のためのコンピュータ・プログラム製品であって、前記命令群は、
ユーザ機器（ＵＥ）から、アップリンク・サブフレームで、シンボルのセットを受信するための命令群と、
前記シンボルのセットを処理するために、前記シンボルのセットが、処理前に、１または複数の孤立シンボルを備えていたかに基づいて、前記ＵＥによって選択された少なくとも１つの送信ダイバーシティ・スキームを判定するための命令群と、
前記選択された送信ダイバーシティ・スキームに対応する受信ダイバーシティ・スキームを用いて、前記シンボルのセットを処理するための命令群と、
を備えるコンピュータ・プログラム製品。
［Ｃ３０］
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、［Ｃ２９］に記載のコンピュータ・プログラム製品。
［Ｃ３１］
前記判定するための命令群は、前記シンボルのセットが、前記ＵＥによる処理の前に、前記１または複数の孤立シンボルを備えていない場合、空間時間ダイバーシティ・スキームが、前記ＵＥによって選択されたと判定するための命令群を備える、［Ｃ２９］に記載のコンピュータ・プログラム製品。
［Ｃ３２］
前記判定するための命令群は、前記シンボルのセットが、前記ＵＥによる処理の前に、前記１または複数の孤立シンボルを備えていた場合、符号化が単一のシンボル内で実行される送信ダイバーシティ・スキームが前記ＵＥによって選択されたと判定するための命令群を備える、［Ｃ２９］に記載のコンピュータ・プログラム製品。
［Ｃ３３］
前記受信するための命令群は、前記シンボルのセットを、少なくとも４つの送信アンテナを介して前記ＵＥから受信するための命令群を備える、［Ｃ２９］に記載のコンピュータ・プログラム製品。
［Ｃ３４］
無線通信のための装置であって、
アップリンク・サブフレームにおいて送信されるべきシンボルのセットが、１または複数の孤立シンボルを備えているかを判定し、
前記判定に基づいて、複数の送信ダイバーシティ・スキームから、少なくとも１つの送信ダイバーシティ・スキームを選択し、
前記選択された送信ダイバーシティ・スキームを用いて、前記シンボルのセットを処理し、
前記処理されたシンボルを、複数の送信アンテナを介して、前記アップリンク・サブフレームで送信する、
ように構成された少なくとも１つのプロセッサと、
前記少なくとも１つのプロセッサに接続されたメモリと、
を備える装置。
［Ｃ３５］
前記判定は、サウンディング基準信号（ＳＲＳ）が前記アップリンク・サブフレームで送信されるべきであるか、および、前記アップリンク・サブフレームが通常のサイクリック・プレフィクスまたは拡張サイクリック・プレフィクスで構成されているかに基づいてなされる、［Ｃ３４］に記載の装置。
［Ｃ３６］
前記選択するように構成された少なくとも１つのプロセッサはさらに、前記シンボルのセットが、前記１または複数の孤立シンボルを備えていないのであれば、空間時間ダイバーシティを選択するように構成された、［Ｃ３４］に記載の装置。
［Ｃ３７］
前記選択するように構成された少なくとも１つのプロセッサはさらに、符号化が単一のシンボル内で実行される送信ダイバーシティ・スキームを選択するように構成された、［Ｃ３４］に記載の装置。
［Ｃ３８］
前記選択するように構成された少なくとも１つのプロセッサはさらに、前記シンボルのセットが、前記１または複数の孤立シンボルを備えているのであれば、空間時間ダイバーシティを選択するように構成され、
前記選択された送信ダイバーシティ・スキームを用いて前記シンボルのセットを処理するように構成された前記少なくとも１つのプロセッサはさらに、前記１または複数の孤立シンボルを落とし、前記空間時間ダイバーシティ・スキームを残りのシンボルに適用する
ように構成された、［Ｃ３４］に記載の装置。
［Ｃ３９］
前記送信するように構成された少なくとも１つのプロセッサはさらに、前記処理されたシンボルを、少なくとも４つの送信アンテナを介して送信するように構成された、［Ｃ３４］に記載の装置。
［Ｃ４０］
無線通信のための装置であって、
ユーザ機器（ＵＥ）から、アップリンク・サブフレームで、シンボルのセットを受信し、
前記シンボルのセットを処理するために、前記シンボルのセットが、処理前に、１または複数の孤立シンボルを備えていたかに基づいて、前記ＵＥによって選択された少なくとも１つの送信ダイバーシティ・スキームを判定し、
前記選択された送信ダイバーシティ・スキームに対応する受信ダイバーシティ・スキームを用いて、前記シンボルのセットを処理する、
ように構成された少なくとも１つのプロセッサと、
前記少なくとも１つのプロセッサに接続されたメモリと、
を備える装置。
［Ｃ４１］
前記判定は、サウンディング基準信号（ＳＲＳ）が前記アップリンク・サブフレームで受信されたか、および、前記アップリンク・サブフレームが通常のサイクリック・プレフィクスまたは拡張サイクリック・プレフィクスで構成されているかに基づいてなされる、［Ｃ４０］に記載の装置。
［Ｃ４２］
前記判定するように構成された少なくとも１つのプロセッサはさらに、前記シンボルのセットが、前記ＵＥによる処理の前に、前記１または複数の孤立シンボルを備えていない場合、空間時間ダイバーシティ・スキームが、前記ＵＥによって選択されたと判定するように構成された、［Ｃ４０］に記載の装置。
［Ｃ４３］
前記判定するように構成された少なくとも１つのプロセッサはさらに、前記シンボルのセットが、前記ＵＥによる処理の前に、前記１または複数の孤立シンボルを備えていた場合、符号化が単一のシンボル内で実行される送信ダイバーシティ・スキームが前記ＵＥによって選択されたと判定するように構成された、［Ｃ４０］に記載の装置。
［Ｃ４４］
前記受信するように構成された少なくとも１つのプロセッサはさらに、前記シンボルのセットを、少なくとも４つの送信アンテナを介して前記ＵＥから受信するように構成された、［Ｃ４０］に記載の装置。
【図１】
0005426022.tif 000002
【図２】
0005426022.tif 000003
【図３】
0005426022.tif 000004
【図４】
0005426022.tif 000005
【図５】
0005426022.tif 000006
【図６】
0005426022.tif 000007
【図７】
0005426022.tif 000008
【図８】
0005426022.tif 000009
【図９】
0005426022.tif 000010
【図１０】
0005426022.tif 000011
【図１１】
0005426022.tif 000012